(57)【要約】【課題】複数の立体映像を１つの画面に同時に表示させて、視聴者が立体映像を自由に選択できるように利便性を向上した立体映像表示装置を提供することを目的としている。【解決手段】第１映像２５０と第２映像２６０を表示する画面２２０が配置された表示パネル２３０と、第１映像２５０と第２映像２６０の表示を制御する映像制御部とを備え、この映像制御部２４０は、画面２２０の任意の位置に第１映像２５０と第２映像２６０を同時に表示し、一方の第１映像２５０における右眼用映像２５１と左眼用映像２５２の視差量に応じて、一方の第１映像２５０における右眼用映像２５１と左眼用映像２５２の視差量を低減または増大するように調整したり、他方の第２映像２６０における右眼用映像２６１と左目用映像２６２の視差量を低減または増大するように調整したりする構成としたものである。【選択図】図８
2013057697.tif 000002
【特許請求の範囲】
【請求項１】
映像を表示する画面が配置された表示パネルと、
前記映像の表示を制御する映像制御部とを備え、
前記映像は、互いに視差を有する右目用映像と左目用映像を含み、
前記映像制御部は、
前記画面の任意の位置に複数の前記映像を同時に表示し、
複数の前記映像の内、一方の前記映像における右眼用映像と左眼用映像の視差量に応じて、一方の前記映像または他方の前記映像における右眼用映像と左目用映像の視差量を低減または増大するように、一方の前記映像または他方の前記映像における右眼用映像と左目用映像の視差量を調整する
立体映像表示装置。
【請求項２】
前記映像制御部は、
複数の前記映像の内、一方の前記映像における右目用映像と左目用映像の視差量と、他方の前記映像における右眼用映像と左眼用映像の視差量との差が所定範囲内に収まるように、一方の前記映像または他方の前記映像における右目用映像と左目用映像の視差量を調整する
請求項１に記載の立体映像表示装置。
【請求項３】
前記映像制御部は、
複数の前記映像の内、一方の前記映像における右目用映像と左目用映像の視差量と、他方の前記映像における右眼用映像と左眼用映像の視差量を互いに等しくなるように、一方の前記映像または他方の前記映像における右目用映像と左目用映像の視差量を調整する
請求項１に記載の立体映像表示装置。
【請求項４】
前記映像制御部は、
複数の前記映像の内、一方の前記映像における右目用映像と左目用映像の視差量と、他方の前記映像における右眼用映像と左眼用映像の視差量をあらかじめ設定した基準視差量と等しくなるように、一方の前記映像または他方の前記映像における右目用映像と左目用映像の視差量を調整する
請求項１に記載の立体映像表示装置。
【請求項５】
前記映像制御部は、
複数の前記映像の内、一方の前記映像における右目用映像と左目用映像の基準面と、他方の前記映像における右眼用映像と左眼用映像の基準面を互いに等しくなるように、一方の前記映像または他方の前記映像における右目用映像と左目用映像の視差量を調整する
請求項１に記載の立体映像表示装置。
【発明の詳細な説明】
【技術分野】
【０００１】
本発明は、両眼視差を利用して立体映像を表示する立体映像表示装置に関する。
【背景技術】
【０００２】
近年、プラズマディスプレイパネルや液晶パネルを用いて、立体映像を表示する立体映像表示装置の開発が積極的に行われている。例えば、両眼視差を利用した立体映像表示装置は、互いに視差を有する右目用映像と左目用映像を交互に表示パネルの画面に表示する。右目用映像が写し出された際は、この映像を右目で見て、左目用映像が写し出された際は、この映像を左目で見る。これらの右目用映像と左目用映像が互いに視差を有するので、映像が立体的に見える。この立体映像は、右目用映像と左目用映像の視差量によって、映像の奥行き感や飛び出し感が変わる。視差量が大きければ、奥行きや飛び出しも大きくなり、視差量が小さければ、奥行きや飛び出しも小さくなる。
【０００３】
このような立体映像表示装置において、右目用映像を右目で、左目用映像を左目で見るためには、例えば、シャッター方式の眼鏡を用いる。このシャッター方式の眼鏡には、右目用レンズと左目用レンズに、光の通過と遮断を切り替える液晶フィルタを配置している。液晶フィルタのシャッター開閉によって、光の通過と遮断を切り替えれば、右目用映像を右目で見ることができ、左目用映像を左目で見ることができる。
【０００４】
このシャッター開閉を繰り返し続けることによって、視聴者は、視差を有する右目用映像と左目用映像から立体的な映像を見ることができる。このシャッター方式の眼鏡を用いた立体映像表示装置は、例えば、特許文献１や特許文献２に開示されている。
【０００５】
さらに、特許文献３には、シャッター方式の眼鏡を用いた立体映像表示装置において、３次元の立体映像だけでなく２次元の通常映像も表示可能にした構成が開示されている。シャッター方式の眼鏡を用いない場合でも映像を楽しめるようにした立体映像表示装置である。信号切り替えスイッチによって、表示パネルの画面に３次元の立体映像を親画面として表示させたり、２次元の通常映像を子画面として表示させたりする。
【先行技術文献】
【特許文献】
【０００６】
【特許文献１】特開２０００−３６９３９号公報
【特許文献２】特開平１０−２４０２１２号公報
【特許文献３】特開平１−１４４７９７号公報
【発明の概要】
【発明が解決しようとする課題】
【０００７】
上記従来の立体映像表示装置では、表示パネルの画面に３次元の立体映像を表示させたり、３次元の立体映像と２次元の通常映像の２つの映像を表示させたりする。しかし、少なくとも２つの３次元の立体映像を１つの画面に同時に表示させたりしていない。このような立体映像表示装置では、複数の３次元の立体映像を１つの画面に同時に表示させて、映像を選択するような利便性を得ることができないという問題を有していた。
【０００８】
本発明は上記問題を解決するもので、複数の立体映像を１つの画面に同時に表示させて、視聴者が立体映像を自由に選択できるように利便性を向上した立体映像表示装置を提供することを目的としている。
【課題を解決するための手段】
【０００９】
上記目的を達成するために本発明の立体映像表示装置は、映像を表示する画面が配置された表示パネルと、前記映像の表示を制御する映像制御部とを備え、前記映像は、互いに視差を有する右目用映像と左目用映像を含み、前記映像制御部は、前記画面の任意の位置に複数の前記映像を同時に表示し、複数の前記映像の内、一方の前記映像における右眼用映像と左眼用映像の視差量に応じて、一方の前記映像または他方の前記映像における右眼用映像と左目用映像の視差量を低減または増大するように、一方の前記映像または他方の前記映像における右眼用映像と左目用映像の視差量を調整する構成としたものである。
【発明の効果】
【００１０】
本発明の立体映像表示装置によれば、映像制御部が画面の任意の位置に複数の映像を同時に表示するので、視聴者は複数の立体映像を自由に選択でき利便性が向上する。
【００１１】
特に、映像制御部は、複数の映像の内、一方の映像における右眼用映像と左眼用映像の視差量に応じて、一方の映像または他方の映像における右眼用映像と左目用映像の視差量を低減または増大するように、一方の映像または他方の映像における右眼用映像と左目用映像の視差量を調整するので、奥行き感や飛び出し感の異なる複数の映像を同時に見ても、視聴者が受ける違和感を低減できる。
【００１２】
単に、１つの画面に複数の映像を同時に表示させた場合は、各々の映像における奥行き感や飛び出し感が互いに異なるので、視聴者は違和感を受けることがある。しかし、本発明の立体映像表示装置では、一方の映像における右目用映像と左目用映像の視差量に応じて、一方の映像または他方の映像における右眼用映像と左眼用映像の視差量を低減または増大するように、一方の映像または他方の映像における右眼用映像と左眼用映像の視差量を調整するので、奥行き感や飛び出し感の程度も規制されることになり、視聴者が受ける違和感を低減できる。
【図面の簡単な説明】
【００１３】
【図１】一実施の形態におけるシャッター方式の眼鏡と立体表示装置との関係を示すブロック図
【図２】同立体表示装置において映像を表示した際の表示パネルの正面図
【図３】右目用映像と左目用映像を含む映像を説明するための概略図
【図４】複数の映像を表示した際の表示パネルの正面図
【図５】右目用映像と左目用映像を含む縮小された第１映像を説明するための概略図
【図６】右目用映像と左目用映像を含む縮小された第２映像を説明するための概略図
【図７】互いに視差量の異なる複数の映像を表示した際の表示パネルの正面図
【図８】視差量の調整前後の状態を示す表示パネルの正面図
【図９】複数の映像を表示した際の表示パネルの正面図
【発明を実施するための形態】
【００１４】
以下、一実施の形態における立体表示装置について図面を参照しながら説明する。図１は一実態の形態におけるシャッター方式の眼鏡と立体表示装置との関係を示すブロック図、図２は同立体表示装置において映像を表示した際の表示パネルの正面図、図３は右目用映像と左目用映像を含む映像を説明するための概略図である。
【００１５】
＜シャッター方式の眼鏡１００と立体表示装置２００との関係について＞
まず、シャッター方式の眼鏡１００と立体表示装置２００との関係について説明する。図１、図２において、立体表示装置２００は、映像２１０を表示する画面２２０が配置された表示パネル２３０と、映像２１０の表示を制御する映像制御部２４０とを備えている。この表示パネル２３０としては、例えば、プラズマディスプレイパネルや液晶パネル等を用いる。
【００１６】
図３に示すように、映像２１０は、互いに視差を有する右目用映像２１１と左目用映像２１２を含む。映像制御部２４０は、この互いに視差を有する右目用映像２１１と左目用映像２１２を交互に表示パネル２３０の画面２２０に表示するように制御している。右目用映像２１１が写し出された際は、この右目用映像２１１を右目で見て、左目用映像２１２が写し出された際は、この左目用映像２１２を左目で見る。これらの右目用映像２１１と左目用映像２１２が互いに視差を有するので、映像２１０が立体的に見える。
【００１７】
図３において、右目用映像２１１と左目用映像２１２には、「Ａ」という文字が表示されている。この右目用映像２１１と左目用映像２１２が交互に表示パネル２３０の画面２２０に表示されると、視聴者には視差量（Ｗ１）を有する映像として見える。すなわち、映像２１０が立体的に見える。この映像２１０は、右目用映像２１１と左目用映像２１２の視差量（Ｗ１）によって、映像２１０の奥行き感や飛び出し感が変わる。視差量（Ｗ１）が大きければ、奥行きや飛び出しも大きくなり、視差量（Ｗ１）が小さければ、奥行きや飛び出しも小さくなる。
【００１８】
右目用映像２１１を右目で、左目用映像２１２を左目で見るためには、例えば、シャッター方式の眼鏡１００を用いる。このシャッター方式の眼鏡１００には、右目用レンズと左目用レンズに、光の通過と遮断を切り替える液晶フィルタを配置している。液晶フィルタのシャッター開閉によって、光の通過と遮断を切り替える。
【００１９】
具体的には、表示パネル２３０に映し出される右目用映像２１１と左目用映像２１２が切り替わるタイミングに同期させて、右目用レンズと左目用レンズに配置した液晶フィルタのシャッター開閉のタイミングを切り替える。すなわち、右目用映像２１１に切り替わるタイミングに同期させて、右目用レンズに配置した液晶フィルタのシャッターを開いて光を通過させ、左目用レンズに配置した液晶フィルタのシャッターを閉じて光を遮断し、右目だけに右目用映像２１１を見せる。左目用映像２１２に切り替わるタイミングに同期させて、左目用レンズに配置した液晶フィルタのシャッターを開いて光を通過させ、右目用レンズに配置した液晶フィルタのシャッターを閉じて光を遮断し、左目だけに左目用映像２１２を見せる。右目用映像２１１と左目用映像２１２との切り替えタイミングと、液晶フィルタのシャッター開閉のタイミングとは、表示パネル２３０と眼鏡１００とを無線や有線で接続して同期のタイミングを取る。このシャッター開閉を繰り返し続けることによって、視聴者は、視差を有する右目用映像２１１と左目用映像２１２から立体的な映像２１０を見ることができる。
【００２０】
＜複数の映像２１０を表示パネル２３０に表示する場合について＞
次に、複数の映像２１０を表示パネル２３０に表示する場合について説明する。図４は複数の映像を表示した際の表示パネルの正面図、図５は右目用映像と左目用映像を含む縮小された第１映像を説明するための概略図、図６は右目用映像と左目用映像を含む縮小された第２映像を説明するための概略図である。
【００２１】
図４において、表示パネル２３０の画面２２０の任意の所定位置に、第１映像２５０と第２映像２６０が画面２２０に同時に表示されている。この第１映像２５０と第２映像２６０は、異なる映像内容でも同じ映像内容でもよく、放送業者から受信した映像内容やメディアに記録された映像内容でもよく、種々の映像内容を対象としている。図４に示すように、この第１映像２５０および第２映像２６０は、映像制御部２４０によって、元の映像２１０に対して縮小された縮小映像に加工されて、画面２２０に同時に表示されている。この縮小された第１映像２５０は、元の映像２１０と同様に、視差を有する右目用映像２５１と左目用映像２５２を含んでいる。また、縮小された第２映像２６０は、元の映像２１０と同様に、視差を有する右目用映像２６１と左目用映像２６２を含んでいる。
【００２２】
＜複数の映像２１０における視差量の差について＞
次に、複数の映像２１０における視差量の差について説明する。
【００２３】
まず、縮小された第１映像２５０について説明する。この第１映像２５０において、右目用映像２５１と左目用映像２５２には、「Ａ」という文字が表示されている。この右目用映像２５１と左目用映像２５２が交互に表示パネル２３０の画面２２０に表示されると、視聴者には、第１映像２５０が視差量（Ｗ２）を有する立体映像として見える。すなわち、視聴者は、視差量（Ｗ２）に応じた飛び出し感や奥行き感のある立体映像として第１映像２５０を見ることができる。
【００２４】
ここで、縮小された第１映像２５０と、縮小前の元の映像２１０とを比較した場合、この第１映像２５０の視差量（Ｗ２）は、元の映像２００の視差量（Ｗ１）よりも小さくなっている。この視差量の減少によって、第１映像２５０では、元の映像２１０に比べて、飛び出し感や奥行き感が小さくなる。
【００２５】
次に、縮小された第２映像２６０について説明する。この第２映像２６０において、右目用映像２６１と左目用映像２６２には、「Ｂ」という文字が表示されている。この右目用映像２６１と左目用映像２６２が交互に表示パネル２３０の画面２２０に表示されると、視聴者には視差量（Ｗ３）を有する立体映像として見える。すなわち、視聴者は、視差量（Ｗ３）に応じた飛び出し感や奥行き感のある立体映像として見ることができる。
【００２６】
ここで、縮小された第２映像２６０と、縮小前の元の映像２１０とを比較した場合、この第２映像２６０の視差量（Ｗ３）は、元の映像２１０の視差量（Ｗ１）よりも小さくなっている。この視差量の減少によって、第２映像２６０では、元の映像２１０に比べて、飛び出し感や奥行き感が小さくなる。
【００２７】
また、第１映像２５０と第２映像２６０とを比較した場合、第２映像２６０の視差量（Ｗ３）は、第１映像２５０の視差量（Ｗ２）よりも小さくなっている。この視差量の差によって、第２映像２６０では、第１映像２５０に比べて、飛び出し感や奥行き感が小さくなる。
【００２８】
このように、元の映像２１０に比べて、第１映像２５０や第２映像２６０は縮小されているので、この縮小によって、視差量も小さくなっている。
【００２９】
また、第１映像２５０と第２映像２６０は画面２２０に同時に表示されるが、第１映像２５０の視差量（Ｗ２）と第２映像２６０の視差量（Ｗ３）が異なると、視聴者は、飛び出し感や奥行き感も異なるように感じる。第１映像２５０と第２映像２６０は、映像製作のデザイン等に応じて、飛び出し感や奥行き感が大きく異なる場合もある。
【００３０】
＜複数のオブジェクト２５５、２５６に起因した視差量の差について＞
次に、複数のオブジェクト２５５、２５６に起因した視差量の差について説明する。図７は互いに視差量の異なる複数の映像２１０を表示した際の表示パネル２３０の正面図である。
【００３１】
図５〜図７において、表示パネル２３０の画面２２０の所定位置に、第１映像２５０と第２映像２６０が画面２２０に同時に表示されている。第１映像２５０および第２映像２６０は、映像制御部２４０によって、元の映像２１０に対して縮小された縮小映像に加工されて、画面２２０に同時に表示されている。この縮小された第１映像２５０は、元の映像２１０と同様に、視差を有する右目用映像２５１と左目用映像２５２を含んでいる。縮小された第２映像２６０は、元の映像２１０と同様に、視差を有する右目用映像２６１と左目用映像２６２を含んでいる。
【００３２】
まず、縮小された第１映像２５０について説明する。この第１映像２５０において、右目用映像２５１と左目用映像２５２には、複数の視差を有するオブジェクト２５５が表示されている。この右目用映像２１１と左目用映像２１２が交互に表示パネル２３０の画面２２０に表示されると、視聴者には、複数のオブジェクト２５５が立体映像として見える。すなわち、視聴者は、複数のオブジェクト２５５の各々の視差量に応じた飛び出し感や奥行き感のある立体映像を見ることができる。
【００３３】
次に、縮小された第２映像２６０について説明する。この第２映像２６０において、右目用映像２６１と左目用映像２６２には、複数の視差を有するオブジェクト２６５が表示されている。この右目用映像２６１と左目用映像２６２が交互に表示パネル２３０の画面２２０に表示されると、視聴者には、複数のオブジェクト２６５が立体映像として見える。すなわち、視聴者は、複数のオブジェクト２６５の各々の視差量に応じた飛び出し感や奥行き感のある立体映像を見ることができる。
【００３４】
第１映像２５０と第２映像２６０の各々のオブジェクト２５５、２６５は、その大きさが大きいほど、視差量が大きく、飛び出し感や奥行き感が大きいことを意味している。すなわち、図７によれば、第１映像２５０の３つのオブジェクト２５５ａ、２５５ｂ、２５５ｃの視差量は、第２映像２６０の４つのオブジェクト２６５ａ、２６５ｂ、２６５ｃ、２６５ｄの視差量よりも大きい。したがって、第１映像２５０の３つのオブジェクト２５５ａ、２５５ｂ、２５５ｃは、第２映像２６０の４つのオブジェクト２６５ａ、２６５ｂ、２６５ｃ、２６５ｄよりも、飛び出し感や奥行き感が大きい。また、第２映像２５０の方に、最大径のオブジェクト２６５ｅ（視差量の最大のオブジェクト）がある。したがって、このオプジェクト２６５ｅの飛び出し感や奥行き感が一番大きい。第１映像２５０のオブジェクト２５５や第２映像２６０のオブジェクト２６５の視差量は互いに異なるが、全体として見れば、第１映像２５０の視差量が、第２映像２６０の視差量よりも大きくなっている。
【００３５】
このように、第１映像２５０と第２映像２６０は飛び出し感や奥行き感が異なるので、第１映像２５０と第２映像２６０とを１つの画面２２０に同時に表示すると、視聴者によっては違和感を受ける場合がある。
【００３６】
＜複数の映像２１０の視差量を調整する方法について＞
次に、複数の映像２１０の視差量を調整する方法について説明する。図８は視差量の調整前後の状態を示す表示パネルの正面図である。
【００３７】
図５〜図８において、第１映像２５０における右目用映像２５１と左目用映像２５２視差量は、第２映像２６０における右目用映像２６１と左目用映像２６２の視差量よりも大きいものである。このような場合、一方の第１映像２５０における右眼用映像２５１と左眼用映像２５２の視差量に応じて、一方の第１映像２５０における右眼用映像２５１と左眼用映像２５２の視差量を低減するように調整する。または、他方の第２映像２６０における右眼用映像２６１と左目用映像２６２の視差量を増大するように調整する。
【００３８】
逆に、第１映像２５０における右目用映像２５１と左目用映像２５２視差量が、第２映像２６０における右目用映像２６１と左目用映像２６２の視差量よりも小さいものである場合は、一方の第１映像２５０における右眼用映像２５１と左眼用映像２５２の視差量に応じて、一方の第１映像２５０における右眼用映像２５１と左眼用映像２５２の視差量を増大するように調整する。または、他方の第２映像２６０における右眼用映像２６１と左目用映像２６２の視差量を低減するように調整する。
【００３９】
図８（ａ）に示すように、第１映像２５０における右目用映像２５１と左目用映像２５２の視差量を小さくし、第２映像２６０における右目用映像２６１と左目用映像２６２の視差量を大きくする。すると、図８（ｂ）に示すように、第１映像２５０における右目用映像２５１と左目用映像２５２の視差量と第２映像２６０における右目用映像２６１と左目用映像２６２の視差量の差が縮まる。
【００４０】
この時、特に、一方の第１映像２５０における右目用映像２５１と左目用映像２５２の視差量と、他方の第２映像２６０における右眼用映像２６１と左眼用映像２６２の視差量との差が所定範囲内に収まるように、視差量を低減したり増大したりして調整してもよい。所定範囲は視聴者が違和感を受けにくい適切な範囲をあらかじめ設定しておけばよい。
【００４１】
具体的に、視差量を調整する際は、例えば、第１映像２５０の右目用映像２５１と左目用映像２６１の相対位置を変更したり、第２映像２６０の右目用映像２６１と左目用映像２６２の相対位置を変更したりすれば、第１映像２５０の視差量または第２映像２６０の視差量が変更される。すなわち、第１映像２５０の視差量と第２映像２６０の視差量を調整できる。
【００４２】
また、第１映像２５０における右目用映像２５１のオブジェクト２５５と左目用映像２５２のオブジェクト２５５のみの相対位置を変更したり、第２映像２６０における右目用映像２６１のオブジェクト２６５と左目用映像２６２のオブジェクト２６５のみの相対位置を変更したりすれば、第１映像２５０のオブジェクト２５５の視差量または第２映像２６０のオブジェクト２６５の視差量が変更される。すなわち、第１映像２５０の視差量と第２映像２６０の視差量を調整できる。
【００４３】
図８（ａ）と図８（ｂ）によれば、視差量の変更が必要な第１映像２５０のオブジェクト２５５または第２映像２６０のオブジェクト２６５を選択して、視差量の大きなオブジェクト２５５、２６５は、視差量を小さくしたオブジェクト２５５、２６５に変更し、視差量の小さなオブジェクト２５５、２６５は、視差量を大きくしたオブジェクト２５５、２６５に変更している。なお、図８（ａ）と図８（ｂ）では、外径が大きなオブジェクト２５５、２６５が視差量の大きなオブジェクト２５５、２６５に相当し、外径が小さなオブジェクト２５５、２６５が視差量の小さなオブジェクト２５５、２６５に相当する。
【００４４】
このように、第１映像２５０における右目用映像２５１と左目用映像２５２の相対位置や第２映像２６０における右目用映像２６１と左目用映像２６２の相対位置を変更したり、第１映像２５０における右目用映像２５１と左目用映像２５２のオブジェクト２５５のみの相対位置や第２映像２６０における右目用映像２６１と左目用映像２６２のオブジェクト２６５のみの相対位置を変更したりすることによって、第１映像２５０または第２映像２６０の視差量を調整している。
【００４５】
＜まとめ＞
上記構成によれば、映像制御部２４０が画面２２０の任意の位置に第１映像２５０と第２映像２６０を同時に表示するので、視聴者は複数の立体映像を自由に選択でき利便性が向上する。
【００４６】
特に、映像制御部２４０は、一方の第１映像２５０における右眼用映像２５１と左眼用映像２５２の視差量に応じて、一方の第１映像２５０における右眼用映像２５１と左眼用映像２５２の視差量を低減または増大するように調整したり、他方の第２映像２６０における右眼用映像２６１と左目用映像２６２の視差量を低減または増大するように調整したりするので、奥行き感や飛び出し感の異なる第１映像２５０と第２映像２６０を同時に見ても、視聴者が受ける違和感を低減できる。
【００４７】
なお、本実施の形態では、第１映像２５０と第２映像２６０の２つの映像２１０を画面２２０に表示させているが、図９に示すように、もっと多くの映像２１０を同時に画面２２０に表示させて、上述と同様に視差量の調整をしてもよい。また、第１映像２５０や第２映像２６０は、元の映像２１０の全体を縮小して表示した映像２１０としたが、元の映像２１０の一部を表示してもよい。元の映像２１０に対して、第１映像２５０や第２映像２６０の縮小率や拡大率は、自由に設定してもよい。
【００４８】
また、映像制御部２４０によって、複数の映像２１０の内、一方の第１映像２５０における右目用映像２５１と左目用映像２５２の視差量と、他方の第２映像２６０における右眼用映像２６１と左眼用映像２６２の視差量との差が所定範囲内に収まるように、一方の第１映像２５０における右目用映像２５１と左目用映像２５２の視差量を調整したり、他方の第２映像２６０における右目用映像２６１と左目用映像２６２の視差量を調整したりしてもよい。
【００４９】
また、映像制御部２４０によって、複数の映像２１０の内、一方の第１映像２５０における右目用映像２５１と左目用映像２５２の視差量と、他方の第２映像２６０における右眼用映像２６１と左眼用映像２６２の視差量を互いに等しくなるように、一方の第１映像２５０における右目用映像２５１と左目用映像２５２の視差量を調整したり、他方の第２映像２６０における右目用映像２６１と左目用映像２６２の視差量を調整したりしてもよい。
【００５０】
また、映像制御部２４０によって、複数の映像２１０の内、一方の第１映像２５０における右目用映像２５１と左目用映像２５２の視差量と、他方の第２映像２６０における右眼用映像２６１と左眼用映像２６２の視差量をあらかじめ設定した基準視差量と等しくなるように、一方の第１映像２５０における右目用映像２５１と左目用映像２５２の視差量を調整したり、他方の第２映像２６０における右目用映像２６１と左目用映像２６２の視差量を調整したりしてもよい。
【００５１】
また、映像制御部２４０によって、複数の映像２１０の内、一方の第１映像２５０における右目用映像２５１と左目用映像２５２の基準面と、他方の第２映像２６０における右眼用映像２６１と左眼用映像２６２の基準面を互いに等しくなるように、一方の第１映像２５０における右目用映像２５１と左目用映像２５２の視差量を調整したり、他方の第２映像２６０における右目用映像２６１と左目用映像２６２の視差量を調整したりしてもよい。
【産業上の利用可能性】
【００５２】
本発明は、複数の立体映像を視聴者が自由に選択でき、利便性を向上した立体表示装置に適用できる。
【符号の説明】
【００５３】
１００    眼鏡
２００    立体表示装置
２１０    映像
２１１    右目用映像
２１２    左目用映像
２２０    画面
２３０    表示パネル
２４０    映像制御部
２５０    第１映像
２５１    右目用映像
２５２    左目用映像
２５５    オブジェクト
２５５ａ    オブジェクト
２５５ｂ    オブジェクト
２５５ｃ    オブジェクト
２６０    第２映像
２６１    右目用映像
２６２    左目用映像
２６５ａ    オブジェクト
２６５ｂ    オブジェクト
２６５ｃ    オブジェクト
２６５ｄ    オブジェクト
２６５ｅ    オブジェクト
【図１】
2013057697.tif 000003
【図２】
2013057697.tif 000004
【図３】
2013057697.tif 000005
【図４】
2013057697.tif 000006
【図５】
2013057697.tif 000007
【図６】
2013057697.tif 000008
【図７】
2013057697.tif 000009
【図８】
2013057697.tif 000010
【図９】
2013057697.tif 000011